(57)【要約】  本発明は、ハンドピースと、その上に取付け可能な付属品とを有する望ましくは電動歯ブラシを目的とする。本発明は、特に、動作ヘッドと、動作ヘッドに接合されて歯ブラシハンドピースに取付け可能な管状の結合部材とを含み、前記結合部材が、積極的な係合及び／又は摩擦的な係合によって歯ブラシハンドピースをともにロックするための少なくとも１つの係合部分を有する望ましくはスリーブ状の結合挿入体を含む、そのような歯ブラシ用の付属品に関する。更に、本発明はまた、付属品の管状の結合部材内に挿入するために適切な連結部材を有する前記歯ブラシハンドピースに関する。前記付属品は、特に歯の清浄用の付属ブラシであり得るが、歯間洗浄装置、歯茎マッサージヘッド、又は、口腔内における同様の作業を行うための他の付属品器具もまた、意図されることができる。本発明によれば、付属品の結合挿入体は、その結合部材、及び／又は、当該付属品の縦方向においてそれに対して軸方向に連結された作動部材に対して変位可能であり、積極的な又は摩擦的な係合によって歯ブラシハンドピースとロックされるように適合された係合部分に対して連結されているので、結合部材及び／又は作動部材に対する結合挿入体の軸方向運動が、当該付属品の縦方向を横断する方向への係合部分のロック解除及び／又はロック運動をもたらす。結合挿入体又は係合部分が歯ブラシハンドピース上にロックされた場合には、まず、付属品又はそれに対して連結された作動部材が、ロックされた結合挿入体に対して付属品の縦方向において略軸方向に移動されることが必要であり、これにより、結合挿入体は、ハンドピースに対してロックされるために歯ブラシハンドピースに対して最初には移動しない。軸方向の相対運動が外されるまで、ロックは、結合挿入体が歯ブラシハンドピースから付属品とともに引き離されるのを可能としない。この２段式の取り付け又は連結機構は、それにもかかわらず付属品の縦方向を横断する方向に起こるロック運動によって堅固な締め付け固定が保証されることから、歯ブラシハンドピースと結合挿入体との間の界面において備えられることになる外形を連結する又は接合する非自動ロックさえも許容する。【選択図】  図４
2010512810.tif 000002
【特許請求の範囲】
【請求項１】
動作ヘッド（２）と、前記動作ヘッド（２）に接合され且つ歯ブラシハンドピース（４）上に取付け可能な管状の結合部材（３）とを含み、前記結合部材（３）が、積極的な及び／又が摩擦的な係合によって前記歯ブラシハンドピース（４）をともにロックするための少なくとも１つの係合部分（６）を有する好ましくはスリーブ状の結合挿入体（５）を含む、付属品、特に好ましくは電動歯ブラシ用の付属ブラシである付属品において、
前記結合挿入体（５）が、前記結合部材（３）、及び／又は当該付属品の縦方向において軸方向に前記結合挿入体（５）に対して連結された作動部材（７）に対して変位可能であり、且つ前記係合部分（６）に対して連結されており、したがって前記結合部材（３）及び／又は前記作動部材（７）に対する前記結合挿入体（５）の軸方向運動が、当該付属品の縦方向を横断する方向への前記係合部分（６）のロック解除及び／又はロック運動をもたらすことを特徴とする、付属品。
【請求項２】
前記動作ヘッド（２）から離れる前記結合挿入体（５）の軸方向運動中に、ロック解除部分（８）が前記結合挿入体（５）と係合するように移動可能とされ且つその前記係合部分（６）をロック解除位置に押し出すように配置されて構成された前記ロック解除部分（８）を前記作動部材（７）が有する、請求項１に記載の付属品。
【請求項３】
一対の傾斜面（９、１０）が前記係合部分（６）及び前記作動部材（７）に備えられており、前記係合部分（６）が前記作動部材（７）を乗り越えた場合に、前記対が前記ロック解除及び／又はロック運動をもたらす、請求項１又は２のいずれか一項に記載の付属品。
【請求項４】
前記係合部分（６）が、弾力性があって、更に／或いは横軸まわりに旋回する係合フィンガ（１２）の突出端部に備えられ且つ前記作動部材（７）によって半径方向に移動可能とされる戻り止め外形、特に戻り止めフック（１１）を有する、請求項１〜３のいずれか一項に記載の付属品。
【請求項５】
前記係合部分（６）が、戻り止め外形、特に戻り止めフック（１１）を有し、この戻り止め外形、特に戻り止めフックが、当該付属品の縦軸を横断する方向に延出する横軸まわりに旋回する前記ピボットアーム（２４）に接合されており、前記動作ヘッド（２）から離れるピボットアーム（２４）に接合された戻り止め外形の軸方向運動が、ロック解除位置の方に向かって半径方向のコンポーネントと重なり合う、請求項１〜３のいずれか一項に記載の付属品。
【請求項６】
前記係合部分（６）が、半径方向に拡大及び縮小可能な戻り止めリング（２５）を含み、前記戻り止めリング（２５）が、くさび状面（９）を有し、更に／或いは、当該付属品の縦方向において軸方向に乗り上がる場合に前記作動部材（７）のくさび状面（１０）によって半径方向に伸長可能である、請求項１〜３のいずれか一項に記載の付属品。
【請求項７】
前記結合部材（３）に対するシェル片（２６、２７）の軸方向位置に応じて、前記シェル片（２６、２７）が前記歯ブラシハンドピース（４）の連結部材用の取付け部に対して異なる直径を画成するように、前記結合挿入体（５）が、前記歯ブラシハンドピース（４）の連結部材用の前記取付け部を形成するように結合し且つ前記結合部材（３）における円錐状の取付け部に位置している複数の前記シェル片（２６、２７）を備える、請求項１〜３のいずれか一項に記載の付属品。
【請求項８】
バネ装置（２８）が、前記シェル片（２６、２７）を拡張位置に付勢するために備えられている、請求項７に記載の付属品。
【請求項９】
前記結合部材（３）が前記歯ブラシハンドピース（４）上に差し込まれた場合に、その連結部材を越えて摺動し、その過程で弾性的に反発し、完全に差し込まれた位置に到達すると積極的な係合によって適所に嵌め込む戻り止めクリップ及び／又はバネ留め金を前記係合部分（６）が形成している、請求項１〜８のいずれか一項に記載の付属品。
【請求項１０】
前記戻り止めクリップ及び／又は前記バネ留め金が、前記作動部材（７）と前記結合挿入体（５）との間の軸方向の相対運動により、その嵌め込み位置から外れることが可能である、請求項９に記載の付属品。
【請求項１１】
前記結合挿入体（５）が、その周囲壁に備えられた少なくとも１つの前記係合部分（６）を有するスリーブを形成している、請求項１〜１０のいずれか一項に記載の付属品。
【請求項１２】
前記結合挿入体（５）が、その上に押し込んで嵌合される前記歯ブラシハンドピース（４）及び／又はアダプタの均一に円錐状の連結部材を止まり嵌めで受けるのに適切な円錐状の取付け部（１３）を有する、請求項１１に記載の付属品。
【請求項１３】
前記結合挿入体（５）の前記円錐状の取付け部（１３）が、７°よりも大きい傾斜角（１５）を有し、更に／或いは、自動ロックしない、請求項１２に記載の付属品。
【請求項１４】
前記結合挿入体（５）が少なくとも１つの軸方向の位置において止まり嵌めによって位置して囲まれる挿入体取付け部（１６）を前記結合部材（３）が含む、請求項１〜１３のいずれか一項に記載の付属品。
【請求項１５】
前記動作ヘッド（２）から離れる位置において、前記結合挿入体（５）が少なくとも前記挿入体取付け部（１９）におけるその部分に遊びをもって位置し、且つ、前記係合部分（６）が半径方向に伸長可能であるように、前記挿入体取付け部（１６）が円錐状に成形されている、請求項１４に記載の付属品。
【請求項１６】
前記挿入体取付け部（１６）が、円筒状構成に成形された少なくともその部分を有する、請求項１４又は１５に記載の付属品。
【請求項１７】
前記結合挿入体（５）が前記作動部材（７）から離脱する位置、及び／又は、前記係合部分（６）が前記作動部材（７）によってロック解除位置に押し出されない位置に、前記結合挿入体（５）が前記管状の結合部材（３）に対してバネ（１７）によって付勢される、請求項１〜１６のいずれか一項に記載の付属品。
【請求項１８】
弾性バネ部分（１８、１９）が、前記結合挿入体（５）上に形成されて前記管状の結合部材（３）に締め付け固定され、前記結合部材（３）内で移動可能に前記結合挿入体（５）を保持する、請求項１〜１７のいずれか一項に記載の付属品。
【請求項１９】
前記弾性バネ部分（１８、１９）が前記バネ（１７）を形成している、請求項１７又は１８に記載の付属品。
【請求項２０】
前記バネ部分（１８、１９）が、結合挿入体の縦軸との同軸包絡面上におおよそ延出し且つ移動可能で前記管状の結合部材（３）の内壁と係合するか又は固定されている保持リング（２０）に対して連結されている少なくとも１つのつる巻きバネアーム及び／又は渦巻きバネアームを含む、請求項１８又は１９に記載の付属品。
【請求項２１】
前記バネ（１７）が、当該付属品の縦方向において前記結合挿入体（５）の軸方向付勢を生じさせる、請求項１９又は２０に記載の付属品。
【請求項２２】
前記作動部材（７）が、前記結合部材（３）に挿入され、更に／或いは、当該付属品の縦方向において略軸方向に突出している作動フィンガ（２１）を含むリングとして形成されている、請求項１〜２１のいずれか一項に記載の付属品。
【請求項２３】
前記リングが前記結合部材（３）内に軸方向に堅固に位置している、請求項２２に記載の付属品。
【請求項２４】
前記作動部材（７）が、当該付属品を区別するユーザに特有のマーキングを担持するリング、特に着色されたリングによって形成されている、請求項２２又は２３に記載の付属品。
【請求項２５】
前記作動部材（７）が、当該付属品の縦方向において軸方向に変位可能であるスライド（２２）を備える、請求項１〜２４のいずれか一項に記載の付属品。
【請求項２６】
初期状態における少なくとも１つの係合部分（６）が、前記結合挿入体（５）の残りの本体に対して所定の初期位置において所定の破断片（２３）によって適所に固定されており、且つ取付け部を前記結合挿入体（５）の前記残りの本体とともに画成しており、その取付け部では円筒状更に／或いは僅かに円錐状の第１の歯ブラシハンドピースの連結部材（１４）が止まり嵌めによって且つ堅固にクランプ締め可能に内部に挿入可能であり、且つ、第２の歯ブラシハンドピースのより明確に円錐状の連結部材（１４）が前記所定の破断片（２３）を破断して開放し且つ前記係合部材（５）を拡大することによってのみ止まり嵌めによって挿入可能である、請求項１〜２５のいずれか一項に記載の付属品。
【請求項２７】
差し込みシャフト（２９）が、特に前記結合部材（３）に備えられており、前記歯ブラシハンドピース（４）に備えられた駆動シャフト（３１）との積極的な係合によって結合するための結合外形（３０）を有し、前記結合外形（３０）が円錐状の接合面（３２）を有する、請求項１〜２６のいずれか一項に記載の付属品。
【請求項２８】
前記円錐状の接合面（３２）が７°よりも大きい傾斜角を有する、請求項２７に記載の付属品。
【請求項２９】
前記差し込みシャフト（２９）の前記結合外形（３０）が、逃げ溝を欠き、更に／或いは、軸方向に効果的な嵌め込み作用連結を欠いている、請求項２７又は２８に記載の付属品。
【請求項３０】
特に付属ブラシである付属品の結合部材（３）内に止まり嵌めによって挿入可能な連結部材（３４）を含む、好ましくは電動歯ブラシの歯ブラシハンドピース（４）が、円錐状で７°よりも大きい傾斜角を有する、歯ブラシハンドピース（４）。
【請求項３１】
請求項１〜２９のいずれか一項に記載の付属品、及び／又は、請求項３０記載の歯ブラシハンドピースを備えた歯ブラシ。
【発明の詳細な説明】
【発明の分野】
【０００１】
本発明は、その上に取付け可能なハンドピース及び付属品を有する好ましくは電動歯ブラシに関する。本発明は、特に、動作ヘッドと、動作ヘッドに接合され且つ歯ブラシハンドピース上に取付け可能な管状の結合部材とを含み、上記結合部材が、積極的な係合及び／又は摩擦的な係合によって歯ブラシハンドピースをともにロックするための少なくとも１つの係合部分を有する好ましくはスリーブ状の結合挿入体を含む、そのような歯ブラシ用の付属品に関する。更に、本発明はまた、付属品の管状の結合部材内に挿入するのに適切な連結部材を有する上記歯ブラシハンドピースにも関する。上記付属品は、特に、歯の清浄用の付属ブラシであり得るが、歯間洗浄装置、歯茎マッサージヘッド、又は、口腔内における同様の作業を行うための他の付属品器具もまた、意図されることができる。
【発明の背景】
【０００２】
欧州登録特許第０，５００，５３７号明細書から、付属ブラシが、その一方が歯ブラシハンドピースの前端部のシャンク部分に、且つ、その他方がそこから突出している駆動シャフトに対して連結されている電動歯ブラシが知られている。この目的のために、付属ブラシは、ハンドピース上の対応する戻り止め切り込みにおける適所にロック可能な弾力性がある戻り止めフックを半径方向に有する。
【０００３】
独国特許出願公開第１０３，５２，９９３から、歯ブラシハンドピースから前端部において突出している駆動シャフトに付属ブラシが直接的にのみ固定されている電動歯ブラシが更に知られている。この目的のために、付属ブラシは、全体がスリーブ状の取付け部が内部に挿入される止まり孔型式の内凹部を備えた結合部材を有する。駆動シャフトが止まり嵌めによって内部に挿入されることができる上記取付け部は、半径方向に弾力性があって付属ブラシと駆動シャフトとの間で遊びの無い連結を確実にすることが意図される幾つかのバネ要素を含む。
【０００４】
前端部において突出しているスタブを収容している歯ブラシハンドピースに付属品を締め付け固定するために、それとの摩擦的な係合によって適所に堅固にクランプ締めされるまで、力でスタブ上に付属品の管状の結合部材を単に押し込むことも知られている。しかしながら、電動歯ブラシの駆動の振動及びブラッシングによって加えられる力に起因して分離されることになる連結を防止するために、クランプ機構の自動ロックを生じさせるために非常に僅かなテーパーを使用する必要がある。一方、より寛大な許容誤差を可能とする連結を得るのを可能とするために、歯ブラシハンドピースのスタブ又はネック上に、また、それと相補的に、付属品上に、より明確なテーパーを備えるのが望ましい。
【発明の概要】
【０００５】
この実現に基づいて、有利な様態で更に当該技術を開発させるとともに、従来技術の欠点を防止する改善された歯ブラシ、改善された歯ブラシハンドピース、及び、改善されたその付属品を提供することが本発明の目的である。特に、許容誤差の影響を受けず、好ましくは遊びなしで歯ブラシハンドピース上の付属ブラシを保持し、更に、容易な様態で再度外されて再構成されることができる、付属品と歯ブラシハンドピースとの間における結合が容易な連結を提供することが目的である。
【０００６】
本発明によれば、この目的は、請求項１に記載の付属品、請求項３０に記載の歯ブラシハンドピース、及び、請求項３１に記載の歯ブラシによって達成される。本発明の望ましい実施形態は、従属請求項の内容である。
【０００７】
したがって、付属品の少なくとも結合挿入体の一部と管状の結合部材又はそれに対する接合された係合部分との間において、付属品の縦軸（長手軸）の方向における軸方向の相対運動を許容すること、及び、この軸方向の相対運動を付属品の縦軸を横断する方向における結合挿入体のロック解除又はロック運動に変えることが提案される。これは、一方では、付属品と歯ブラシハンドピースとの間において堅固で更に振動に耐性がある連結が得られるのを可能とするとともに、他方では、既知技術である軸方向の押し込み及び引き離し運動によって連結が外されて再構成されるのを可能とする。本発明によれば、付属品の結合挿入体は、その結合部材、及び／又は、付属品の縦方向において軸方向に連結された作動部材に対して変位可能であり、結合部材及び／又は作動部材に対する結合挿入体の軸方向運動が、当該付属品の縦方向を横断する方向への係合部分のロック解除及び／又はロック運動をもたらすように、積極的な又は摩擦的な係合によってハンドブラシハンドピース上にロック可能な係合部分に対して連結されている。結合挿入体又は係合部分が歯ブラシハンドピース上にロックされた場合に、まず、それに対して連結される付属品又は作動部材が、ロックされた結合挿入体に対して付属品の縦方向において略軸方向に移動されることが必要であり、これにより、結合挿入体は、最初に、それに対してロックされるために歯ブラシハンドピースに対して移動しない。軸方向の相対運動が外されるまで、ロックは、結合挿入体が歯ブラシハンドピースから付属品とともに引き離されるのを可能としない。この２段式の取り付け又は連結機構は、それにもかかわらず付属品の縦方向を横断する方向に起こるロック運動によって堅固な締め付け固定が保証されることから、歯ブラシハンドピースと結合挿入体との間の界面において備えられることになる外形を連結する又は接合する非自動ロックさえも許容する。特に、この点で他の問題がある付属品の歯ブラシハンドピースと結合挿入体との間の界面は、したがって、許容誤差の影響を受けない状態にされることができる。他方、結合挿入体と、付属品又は結合挿入体と結合部材若しくは作動部材との間の界面における外形の適切な適合によってそれに対して固く締められた作動部材との間の軸方向の相対可動性（relative movability）を制御することが可能であり、特に、結合挿入体に対する結合部材の望ましくない軸方向変位が、互いに係合して位置している結合挿入体及び結合部材の外形の自動ロック構成によって防止されることができる。
【０００８】
特に、結合挿入体は、付属品の動作ヘッドから離れて拡大する円錐状の取付け部を画成することができる。円錐状の取付け部は、７°よりも大きい傾斜角を有するので、もはや自動ロックであるようには構成されない。従来は前端部において突出している歯ブラシハンドピースのスタブ状の連結部材は、７°よりも大きい傾斜角で円錐状に対応する様態で構成されてもよい。歯ブラシハンドピースの連結部材及び結合挿入体によって画成される取付け部のこれらの比較的明確なテーパーは、いかなる直径の差異も適切な軸方向移動によって補償されることができるため、連結が許容誤差の影響を受けない状態にする。
【０００９】
一方、付属品の結合挿入体と結合部材との間の界面に対する不要な離脱（disengagement）の問題を伝達しないように、すなわち、結合挿入体のロック解除をもたらす結合挿入体に対する付属品の管状の結合部材の望ましくない軸方向変位を回避するために、様々な機構を使用することが一般的に可能であり、例えば、所定の戻り止め力を克服することによってのみ克服されることができる付属品の結合挿入体と結合部材との間に留め金（catch）機構を備えることが可能である。それに代えて又は加えて、結合部材はまた、結合挿入体が止まり嵌め且つ自動ロック嵌合を伴う摩擦的係合によって挿入可能である挿入体取付け部を有していてもよく、例えば、挿入体取付け部は、付属品が歯ブラシハンドピース上に差し込まれる場合に、結合挿入体が管状の結合部材の挿入体取付け部において自動ロックの様態で適所にそれ自身を堅固にクランプ締めするように、７°よりも小さい傾斜角を備えた円錐状の構成でもよい。また、それに代えて又は加えて、結合挿入体と結合部材との間において作用して所望の軸方向位置において結合挿入体を保持するバネ装置が備えられてもよい。
【００１０】
付属品の単純な操作を達成して従来と同様にできる限り容易に付属品を歯ブラシハンドピースから引き離すのを可能とするために、本発明の更なる態様は、動作ヘッドから離れる結合挿入体の軸方向運動中に、ロック解除部分が結合挿入体と係合するように移動可能とされ且つその係合部分をロック解除位置に押し出すように配置されて構成されたロック解除部分を有するように作動部材を提供する。換言すれば、作動部材は、付属品が歯ブラシハンドピースから引き離される場合に、作動部材が自動的に結合挿入体をロック解除するように配置されて構成される。
【００１１】
本発明の好ましい実施形態によれば、くさび状面が結合挿入体の係合部分及び／又は作動部材に備えられてもよく、その面は、係合部分が作動部材を乗り越えた場合に所望のロック解除運動をもたらす。一対の平坦なくさび状面が備えられてもよいが、軸方向の相対運動が、上記軸方向運動を、軸方向を横断する方向におけるロック解除運動に変えた結果として係合部分が作動部材を乗り越えた場合に、球面又は凹面構成における孤状の一対の傾斜面を使用することも可能である。
【００１２】
運動学的な反転において、作動部材が、それに対して連結される結合挿入体又は係合部分のロック解除を実行しないがロックを実行するように形成することもまた一般的に可能である。この場合、その初期位置における係合部分が採用されてもよく、又は、非ロック位置に付勢されてもよい。付属品が歯ブラシハンドピース上に差し込まれた場合に、結合挿入体の係合部分は、作動部材を介してロック位置に押し出される。しかしながら、好ましいものは、結合挿入体が自動ロックされるように構成され、付属品が歯ブラシハンドピース上に位置した（seated）場合にそれ自身に起こるロックが、その後、付属品が再度取り外される場合に作動部材によって外されるものにかかる、本発明の上述した実施形態である。
【００１３】
本発明の特に有利な実施形態において、係合部分は、結合部材が歯ブラシハンドピース上に差し込まれた場合に、その連結部材を越えて摺動し、その過程で弾性的に反発し、完全に差し込まれた位置に到達すると積極的な係合によって適所に嵌め込むバネ留め金及び／又は戻り止めクリップを形成してもよい。付属品が再度歯ブラシハンドピースから取り外されることになっている時に、バネ留め金又は戻り止めクリップは、作動部材と結合挿入体との間における軸方向の相対運動によってその嵌め込み位置から外れる（unseated）。
【００１４】
一般的に、係合部分は、様々な方法で構成されることができる。本発明の有利な実施形態によれば、係合部分は、有利には弾力性があって、更に／又は横断する軸まわりに旋回して作動部材によって半径方向に移動可能な係合フィンガの突出端部に備えられた特に戻り止めフック状の戻り止め外形を有していてもよい。有利には、少なくとも１つの係合フィンガは、結合挿入体の本体と一体的に単片から形成されていてもよく、残りの本体に関して弾力性があるように例えば縦方向スリットによって残りの本体から分離されてもよい。
【００１５】
それに代えて又は加えて、係合部分はまた、その一端において特に歯ブラシハンドピースと係合してロックするための、特には戻り止めフックの形式の適切な戻り止め外形を有し、且つ、その他端において上述した作動部材と係合するように移動可能である作動部分を形成する揺れ材（rocker）の形式で備えられてもよい。この場合にも、係合部分は、特に上述した揺れ材の中央部分における可撓性のある連結バーを介して結合挿入体の本体と一体的に単片から形成されていてもよい。
【００１６】
それに代えて又は加えて、係合部分は、ピボットアームを介して戻り止めフックの軸方向運動中に、戻り止めフックがロック又はロック解除されるのを生じさせる、特には半径方向運動成分（component）が同時に起こされるように、特にピボットアームを介して旋回可能に取り付けられた戻り止めフックの形式の戻り止め外形を有してもよい。必要な軸方向運動を起こすために、戻り止めフックは、付属品を引き離すとともに付属品及び／又は作動部材を差し込みながら、歯ブラシハンドピースの連結部材を捕捉する従動要素を有していてもよい。
【００１７】
本発明の他の好ましい実施形態によれば、有利にはスリーブ状である結合挿入体は、溝付きスリーブ部分又はシェル片（shell segments）によって画成された取付け部が歯ブラシハンドピースの連結部材を収納するための異なる直径に適合することができるように、溝付きスリーブの形式で備えられていてもよく、更に／又は、スリーブ部分（sleeve section）を備えた複数のシェル片又は半径方向に伸長可能であって圧縮可能である複数のシェル片から構成されてもよい。有利には、スリーブ部分又はシェル片は、スリーブ部分又はシェル片によって画成された取付け部が、結合部材における結合挿入体の軸方向変位中に、より縮小又はより拡大することが可能であるように、付属品の結合部材における全体的に円錐状の挿入体取付け部に位置してもよい。
【００１８】
本発明の有利な他の実施形態は、全体的にスリーブ状の結合挿入体上に溝付き戻り止めリングを備えてもよく、リングは、半径方向に圧縮可能且つ伸長可能（extensible）である。圧縮は、結合部材における円錐状の台座によって、又は、適用可能な場合には戻り止めリングを付勢することによっても強制的に行ってもよく、逆に、戻り止めリングの伸長又は拡大は、例えば戻り止めリング及び作動部材上の一対の傾斜面を介して実行されてもよい。
【００１９】
有利な本発明の更なる態様において、結合部材内で軸方向に移動可能である結合挿入体は、結合部材上の適所に固定されて抜けから締め付け固定され、更に／又は、画成された初期位置にバネによって付勢される。このバネは、様々な方法で構成されてもよい。本発明の望ましい実施形態によれば、弾力性があるバネ部分は、結合挿入体に形成され、管状の結合部材に対して締め付けされる。弾力性があるバネ部分は、特に結合挿入体の縦方向軸と同軸である包絡面（enveloping surface）上におおよそ延出し且つ特にそれと係合してロックしている管状の結合部材の内壁と係合して移動可能である保持リングに対して連結されている特には少なくとも２つのつる巻きバネアーム及び／又は渦巻きバネアームから形成されてもよい。この装置において、バネは、有利には動作ヘッドの近くの結合挿入体の側面に備えられてもよい。
【００２０】
管状の結合部材における結合挿入体の軸方向に変位可能な取付けに代えて又は加えて、結合挿入体と作動部材との間における軸方向の相対運動を実行するために、特にはスライドの形式で軸方向に変位可能な作動部材を備えることもまた可能である。例えば、スライドは、管状の結合部材における縦方向溝内で案内されてもよい。
【００２１】
しかしながら、好ましい本発明の更なる態様において、作動部材は、付属品の管状の結合部材上の適所に不動で固定される。この装置において、作動部材は、結合部材自身の一体的に形成された部分によって一般的に形成されてもよい。しかしながら、特に、望ましい本発明の更なる態様において、結合部材に挿入されるリングとして作動部材が形成されることが可能である。作動部材は、付属品の縦方向において略軸方向に突出し且つ結合挿入体又はその係合部分が付属品の縦方向を横断する方向において作動可能である少なくとも１つの作動フィンガを含んでもよい。
【００２２】
本発明の更なる態様において、作動部材は、二重機能において使用される。特に、作動部材は、付属品の外側から視認可能であって当該付属品を区別するユーザに特有のマーキングを有し、付属品のそれぞれのユーザが「自分の」付属品を識別することができる部分を有していてもよい。特に、作動部材は、特にその前端部を形成する少なくとも一部が付属品の結合部材の外側から視認可能である着色されたリングの形式としてもよい。
【００２３】
本発明の好ましい他の更なる態様において、結合挿入体は、異なる歯ブラシハンドピースの異なる連結部材と、より合致するようにそのような歯ブラシハンドピースとが結合されるのを可能とするように構成される。特に、結合挿入体は、一方では歯ブラシハンドピースの円筒状の連結部材と係合して、他方では歯ブラシハンドピースの円錐状の連結部材あるいはまた適用可能な場合には様々な明確な（pronounced）テーパーが形成された連結部材と係合して結合するのが適切であるように構成される。本発明の更なる態様において、初期状態における結合挿入体の少なくとも１つの係合部分は、上記部分が、円筒状及び／又は僅かに円錐状の第１の歯ブラシハンドピースの連結部材が止まり嵌めによって且つ堅固にクランプ締め可能に内部に挿入可能である取付け部を結合挿入体の上記残りの本体とともに画成するように、結合挿入体の残りの本体に対して所定の初期位置における所定の破断片（breaking piece）によって適所に固定される。少なくとも１つの所定の破断片が破断された場合に、係合部分は、第２の歯ブラシハンドピースのより明確な円錐状の連結部材が係合部材を拡大して止まり嵌めによって挿入されることができるように、半径方向に移動されることができる。有利には、係合部分から離れた結合挿入体の残りの本体は、第２の歯ブラシハンドピースのより明確な円錐状の連結部材に一致する（conform）ように成形された取付け部を画成する。
【００２４】
そのような所定の破断点を結合挿入体に備えることに代えて又は加えて、異なる歯ブラシハンドピース上の付属品の使い勝手（usability）はまた、アダプタの使用によって保証されてもよい。この場合、結合挿入体及び特にそれによって画成された取付け部は、特に７°よりも大きい傾斜角を有するより明確な円錐状の連結部材が止まり嵌めによって挿入されることができるように、上述した第２の歯ブラシハンドピースの連結部材のそのようなより明確な円錐状の外形に一致するように成形される。これに対して、付属品が円筒状又は僅かにのみ円錐状の連結部材を有する上述した第１の歯ブラシハンドピースのために使用されることになっている場合には、その外部外形がより明確なテーパーを有し且つ特に結合挿入体によって画成された取付け部における止まり嵌めのために適合されるスリーブ状のアダプタは、上記歯ブラシハンドピースの連結部材上に押し込んで嵌合される。そのようなアダプタのスリーブは、歯ブラシハンドピース上に積極的な係合及び／又は摩擦的な係合によって有利にはロックされる。アダプタのスリーブはまた、所定の破断点が破断された後であっても、所定の破断部分を含む上述した型式の結合挿入体を備えた付属品が、円筒状又は僅かにのみ円錐状の連結部材を有する歯ブラシハンドピースのために使用されるのを可能とするのに役立つことができる。
【００２５】
本発明は、以下、好ましい実施形態及び関連する図面を参照してより詳細に説明される。
【図面の簡単な説明】
【００２６】
【図１】そのロック位置に示された、付属ブラシの管状の結合部材内に位置する結合挿入体を備えた、歯ブラシハンドピースの前端の連結部材及びその上に位置した付属ブラシを示している、本発明の好ましい実施形態にかかる電動歯ブラシの縦断面における部分図である。
【図２】図１における図示と比較して９０°回転された図１の歯ブラシの縦断面図である。
【図３】付属ブラシにおける結合挿入体と歯ブラシハンドピースのネックとの間の留め金機構の領域における図１及び図２の歯ブラシの横断面図である。
【図４】本発明の他の好ましい実施形態にかかるロック揺れ材を含む付属ブラシの結合部材内の結合挿入体を備えた、歯ブラシのハンドピースに対する付属ブラシの連結を示している、電動歯ブラシの縦断面における部分図である。
【図５】本発明の他の望ましい実施形態にかかる付属ブラシの結合部材内の結合挿入体であって双安定的に取り付けられたバネフィンガの形式のロックアームを有する結合挿入体の断面における部分図である。
【図６】図５の結合挿入体の双安定的に取り付けられたバネフィンガの平面図である。
【図７】ピボットアーム上に取り付けられた戻り止めフックが備えられた、本発明の他の望ましい実施形態にかかる付属ブラシの結合部材内の結合挿入体の断面における部分図である。
【図８】結合挿入体が２つのシェル片を有する分割スリーブの形式である、本発明の他の好ましい実施形態にかかる付属ブラシの結合部材内の結合挿入体の縦断面図である。
【図９】スリーブ状の結合挿入体の２つのシェル片を示している図８の結合挿入体の平面図である。
【図１０】結合挿入体が半径方向に拡大及び縮小することができる戻り止めリングを含む、本発明の他の好ましい実施形態にかかる付属ブラシの結合部材内の結合挿入体の縦断面図である。
【図１１】付属ブラシの結合部材内の結合挿入体が所定の破断点を有し、図１１において示されるように、所定の破断点の破損なしで円筒状の連結部材を有する歯ブラシハンドピースのために適切であり、所定の破断点の未だに破断されていない状態を示している図１１について、所定の破断点の破損後に円錐状の連結部材を有する歯ブラシハンドピースのために適切である、本発明の他の望ましい実施形態にかかる電動歯ブラシの縦断面における部分図である。
【図１２】図１１と比較して９０°回転された平面における図１１の歯ブラシの縦断面における部分図である。
【図１３】結合挿入体戻り止めフックの領域における付属ブラシと図１１及び図１２の歯ブラシのハンドピースとの間の連結の横断面図である。
【図１４】図１１〜図１３の付属ブラシの結合挿入体の斜視図である。
【詳細な説明】
【００２７】
図１〜図３において示される歯ブラシ１は、ハンドピース４と、それに対して連結された付属ブラシ３３の形式である付属品とを備える。ハンドピース４は、当分野において周知の様態で、駆動モータ及び例えば再充電可能なバッテリの形式である電力供給装置を収容でき且つ駆動を切り替えるための作動スイッチが備えられたハウジングを備える。図１において示されるハンドピース４の前端部において、ハンドピース４のハウジングは、前方に突出しているスタブ状の連結部材３４を形成し、この連結部材は示される実施形態において円錐状に成形されてその自由端の方にテーパーが付けられており、連結部材３４の円錐状の外形は有利には７°よりも大きい傾斜角３５を有するので、自動ロックの様態でクランプ締めされることができない。上記連結部材３４の前端部から延出しているものは、振動性の回転運動において駆動されるように適合された駆動シャフト３１である。
【００２８】
付属ブラシ３３は、より詳細には示されていない一組の剛毛を備えた動作ヘッド２を備え、この動作ヘッドは、示された実施形態で剛毛の縦方向においておおよそ指し示している剛毛区域（zone）軸まわりの振動性の回転運動において駆動されるように適合されている。上記動作ヘッド２は、歯ブラシハンドピース４のネック又は連結部材３４上に差し込まれることができる全体的に管状の結合部材３によって担持されている。上記管状の結合部材３の内部において、付属ブラシ３３は、相対回転を防止する様態でハンドピースの駆動シャフト３１と結合されるように適合された差し込みシャフト２９を備える。
【００２９】
付属ブラシ３３をハンドピース４に対して固く締めるために、管状の結合部材３は、付属品の縦方向３８の方向への軸方向変位のために管状の結合部材３内に収容できる結合スリーブの形式の結合挿入体５を含む。結合部材３は、結合挿入体５が少なくともそのロック状態において止まり嵌めによって位置する挿入体取付け部１６をその内壁によって形成している。それは、より詳細に後に説明される。当然のことながら、挿入体取付け部１６は、様々な方法で構成されてもよく、例えば、全体的に円筒状又は全体的にテーパーが付けられるか円錐状の構成でもよく、又は、円錐状部分と同様に円筒状部分を含んでもよい。示された実施形態において、挿入体取付け部１６は、結合挿入体５の内端部が意図されたその領域４０に備えられた円筒状部分を持ち全体的に僅かに円錐状である。
【００３０】
バネ１７は、結合部材３内において軸方向に結合挿入体５を保持するか、又は、所定の初期位置にそれを付勢する。上記バネ１７は、動作ヘッド２の近くの結合挿入体５の側面に有利には備えられており、一方で上記結合挿入体５に対して連結されており、他方で結合部材３に固定されている。示された実施形態において、バネ１７は、結合部材３の内壁と係合してロックする保持リング２０を備える。様々な設計がバネ１７について一般的に可能である。図示された実施形態によれば、バネ１７は、図１及び図２を参照するように、有利には、差し込みシャフト２９及び駆動シャフト３１の周囲に巻かれた２つのつる巻きバネ部分及び／又は渦巻きバネ部分１８、１９を備える。この装置において、バネ部分１８、１９は、結合挿入体５と一体的に単片から形成されており、保持リング２０に対して連結されている。バネ１７は、ロック及びロック解除を可能とするのを必要とする範囲まで結合挿入体５の軸方向運動を可能とする。
【００３１】
スリーブ状の結合挿入体５は、歯ブラシハンドピース４が止まり嵌めによって取付け部１３内に挿入されることができるように、上記ハンドピース４の連結部材３４の外周の外形に一致するように成形された取付け部１３をその内周面とともに形成している。取付け部１３は、連結部材３４に適合される７°よりも大きいそれぞれのテーパーの傾斜角を備えた全体的に円錐状の構成である。結合挿入体５は、弾力性がある結合手段の形式、又は、係合フィンガ１２が付属品の縦方向３８を横断する方向において半径方向にバネ開閉するように、結合挿入体５の残りの本体と一体的に単片から形成され且つＵ字状のスリットによって上記挿入体から分離されたバネフィンガ１２の形式である２つの相互に対向する係合部分６を有する。係合フィンガ１２は、付属品の縦方向３８と略平行なそれらの縦軸によって延出している。
【００３２】
図１が示しているように、係合フィンガ１２は、歯ブラシハンドピース４の連結部材３４の外周面において一致して成形された戻り止め切り込み４１に嵌め込むように適合された戻り止めフック１１を半径方向内側に突出しているそれらの自由端を担持している。勿論、当然のことながら、例えば連結部材３４上の戻り止め突起及び係合フィンガ１２上の戻り止め切り込みを備える図示された実施形態の幾何学的な反転等、他の適切な戻り止め外形が備えられてもよい。
【００３３】
図３が示しているように、結合挿入体５によって画成された連結部材３４及び取付け部１３は、横断面において円形ではなく、双方とも平坦化されている。特に、連結部材３４は、戻り止め切り込み４１が備えられる２つの相互に対向する平坦化された表面を有する。係合フィンガ１２は、２つの平坦化された表面及びその内部に備えられた戻り止め切り込み４１に相補的であるそれらの内側面を有する。
【００３４】
結合挿入体５と歯ブラシハンドピース４の連結部材３４との間における図１において示されるロックを外すことができるように、付属ブラシ３３の結合部材３は、図示された実施形態においては動作ヘッド２から離れた側面上の管状の結合部材３の前端部に位置しているリングの形式である作動部材７を含む。リングは、作動部材７の色から「自分の」付属ブラシを識別することが可能なユーザによって付属ブラシ３３を他と区別するという二重機能を果たすように、有利には着色されたリングとして備えられることができる。
【００３５】
作動部材７は、それぞれが結合部材３の内部に付属品の縦方向において軸方向に突出している作動フィンガ２１の形式である２つのロック解除部分８を備える。これらの作動フィンガ２１は、有利には、係合フィンガ１２の自由端の領域において結合挿入体５によって形成された取付け部１３に係合する。作動フィンガ２１の突出端部に備えられているのは、結合挿入体５の係合フィンガ１２の突出端部上の傾斜面と協働するのに役立つ傾斜面１０である。傾斜面９、１０は、作動フィンガ２１にわたる係合フィンガ１２の軸方向の乗り越え動作中に、係合フィンガ１２が半径方向外側に広げられることによってそれらが歯ブラシハンドピース４の連結部材３４における戻り止め切り込み４１から持ち上げられるように形成されている。
【００３６】
図示された実施形態において、結合挿入体５は、軸方向運動を起こすために結合部材３内において軸方向に変位可能である。それに代えて又は加えて、環状の作動部材７は、結合部材３内において軸方向に変位可能であり得る。好ましい図示された実施形態において、しかしながら、作動部材７は、結合部材３の内壁上の留め金機構４２によって結合部材３にしっかりと位置している。
【００３７】
したがって、以下の操作モードが生じる。
【００３８】
すなわち、付属ブラシ３３が歯ブラシハンドピース４上に差し込まれた場合に、連結部材３４は、結合挿入体５の取付け部１３に螺入し、これにより、戻り止めフック１１は、係合フィンガ１２が広がって開放するように連結部材３４の外周面に沿って摺動する。完全に差し込まれた位置に到達すると、係合フィンガ１２は、嵌め込み作用によって戻り止めフック１１を戻り止め切り込み４１にさせるように、半径方向内側に跳ねる。結合挿入体５は、歯ブラシハンドピース４上に差し込まれると上記ハンドピースに自動的にロックするバネ留め金を形成する。ロックされた位置において、連結部材３４は、止まり嵌めによって円錐状の取付け部１３に位置する。同様に、結合挿入体５は、結合部材３の挿入体取付け部１６内にぴったりと受けられる。
【００３９】
積極的な係合ロックを外すために、ユーザは、単に、歯ブラシハンドピース４から付属品の縦方向３８に付属ブラシ３３を引き離すだけでよい。結合挿入体５が戻り止めフック１１によって歯ブラシハンドピース４上に軸方向にしっかりと保持されていることから、これは、最初に結合部材３と結合挿入体５との間の軸方向の相対運動において生じる。そのような軸方向の相対運動の結果として、作動部材７の作動フィンガ２１は、係合フィンガ１２が戻り止め切り込み４１から半径方向に一対の傾斜面９、１０を介して持ち上げられるように、係合フィンガ１２又は戻り止めフック１１の下方に移動する。結合挿入体５と結合部材３との間における軸方向の相対運動中に、バネ１７のバネ部分１８、１９の対応する変形が起こる。
【００４０】
それらの戻り止めフック１１を有する係合フィンガ１２が歯ブラシハンドピース４からロック解除された場合には、結合挿入体５は、ハンドピース４から結合部材３とともに引き離される。バネ１７は、その初期位置に結合挿入体５を復帰するように操作する。このバネ復帰機能は、有利であるが不可欠ではない。取付け部１３更に／或いは場合によっては備えられている従動要素の円錐状の構成のために、結合挿入体５は、バネ１７がない場合であっても歯ブラシハンドピース４上に再度差し込まれた場合に、そのロック位置に押し戻される。
【００４１】
図２において特に示されているように、図示された実施形態においても、付属ブラシ３３の差し込みシャフト２９は、円錐状の接合面によってハンドピースにおける駆動シャフト３１と結合され、駆動シャフト３１は、ハンドピース４のハウジングから突出しているその端部に円錐状に成形され、傾斜角は、同様に７°よりも大きいのを可能とする。差し込みシャフト２９は、一致するように成形された前向きの開口を有し、有利には駆動シャフト３１のテーパーに適合されて同様に７°よりも大きい傾斜角を有する接合面３２を備える止まり孔タイプの取付け部４３である。付属ブラシ３３上に堅固に差し込むことにより、差し込みシャフト２９と駆動シャフト３１との間における積極的な係合及び／又は摩擦的な係合によって連結を得ることが可能である。この連結は、軸方向に効果的な嵌め込み作用連結又は他の軸方向保持手段をなくしてもよい。
【００４２】
図４において示される本発明の他の実施形態によれば、歯ブラシハンドピース４に対する結合挿入体５のロック解除は、係合フィンガ１２の自由端においても、また、前端部において挿入されるリングの形式である作動部材によっても実行される必要はない。図４が示しているように、結合挿入体５の係合部分６は、有利には揺れ材４４の形式で構成されてもよい。図１〜図３の上述した実施形態と同様の様態において、スリーブ状の結合挿入体５には、縦方向に延出し且つ半径方向外側及び内側に跳ねることが可能であり且つ対応する様態でそれらの自由端上に戻り止めフック１１を取り付けられた係合フィンガ１２が備えられている。しかしながら、係合フィンガ１２は、スリーブ状の結合挿入体５の残りの本体に対する旋回運動のための継ぎ手４５を介して中央部分に取り付けられており、これにより、継ぎ手４５は、有利には上記係合フィンガ１２を結合挿入体５の残りの本体に対して連結する可撓性のある連結部分の形式で構成されることができる。この装置において、係合フィンガ１２は、継ぎ手４５を越えて軸方向に突出し、結合部材３の内壁上の傾斜面１０と協働する傾斜面９を、戻り止めフック１１から離れてそれらの端部上に有する。同時に、傾斜面９、１０は、結合挿入体５が結合部材３と嵌め込み作用係合をなすことができることによって戻り止め手段４６を形成している。図４が示しているように、揺れ材４４上の傾斜面９は、結合部材３の内壁における周方向溝に嵌め込むように適合される半径方向突起の一部である。
【００４３】
したがって、以下の操作モードが生じる。すなわち、図４において示される歯ブラシハンドピース４におけるロック位置から付属ブラシ３３をロック解除することが求められる場合には、その後、付属ブラシ３３は、単にハンドピース４から付属品の縦方向３８において引き離される。結合挿入体５が戻り止めフック１１によって歯ブラシハンドピース４上にしっかりと保持されていることから、これは、最初に結合部材３と結合挿入体５との間の軸方向の相対運動において生じる。その結果、戻り止め手段４６は、それらの嵌め込み係合位置（snappingly engaged position）から摺動し、揺れ材４４が傾斜面９、１０を介して作動されることにより、係合フィンガ１２が継ぎ手４５まわりに旋回し且つ戻り止めフック１１が戻り止め切り込み４１からてこで動かされる。その後、戻り止めフック１１のロック解除後に、結合挿入体５は、結合部材３とともに引き離されることができる。前端部において結合部材３内に挿入された着色されたリング４７は、結合挿入体５が結合部材３から外部に完全に滑り出るのを防止する。
【００４４】
付属ブラシ３３が歯ブラシハンドピース４上に再度差し込まれた場合には、まず、連結部材３４は、連結部材３４にわたって摺動している戻り止めフック１１を用いて結合挿入体５によって形成された取付け部１３に螺入する。図４が示しているように、従動要素を形成する半径方向内側に突出しているショルダーが継ぎ手４５の領域において備えられる。差し込み中に、ハンドピース４の連結部材３４の対応する前面は、この従動要素に当接し、したがって、差し込みが完了した場合に、戻り止め手段４６が揺れ材４４上の適所に再度嵌め込み且つ係合フィンガ１２が戻り止め切り込み４１との戻り止めフック１１の嵌め込み係合を生じさせるために再度対応して跳ねる（span）まで、結合挿入体５が結合部材３内に完全に押し込まれるのを保証する。
【００４５】
図５及び図６は、歯ブラシハンドピース４上の対応する戻り止め切り込み内に嵌め込む戻り止めフック１１をその自由端上に担持する上述した実施形態にしたがって、結合挿入体５が双安定的に取り付けられた弾力性がある係合フィンガ１２を含む、本発明の他の好ましい実施形態を示している。図５及び図６において示された実施形態が上述した実施形態と一致する場合には、それらの記載が参照される。
【００４６】
図５及び図６が示しているように、係合フィンガ１２は、部分４８、４９上の２つの取り付け点間の距離が、上記２つの取り付け点間の係合フィンガ１２の孤長よりも短いように、係合フィンガ１２の左右に配置された２つの引っ張りストリップ５１、５２の形式で一定の引っ張りロッド５０上において軸方向に互いに離隔されて配置された２つの部分４８、４９に接合されている。これは、係合フィンガ１２を弧状に曲げられた位置、すなわち、実線によって図５において図示されたロック位置又は破線によって図示されたロック解除位置のいずれかに強制的に適合させる。上述した部分４８、４９間の係合フィンガ１２の部分は、圧力ストリップを形成する。全体の装置は、２つの位置間で双安定的に前後に押し込まれることができるいわば「クリッカ（clicker）」に相当する。
【００４７】
係合フィンガ１２を作動するために、結合部材３の内壁の領域は、対応する軸方向運動中に、ロック位置にある係合フィンガ１２の外側に突出している隆起部（bulge）を半径方向内側に追いやることが可能である突出作動つまみ５３を備えた作動部材７を備えており、したがって係合フィンガ１２をロック解除位置に押し出す。図示された実施形態において、作動部材７は、結合部材３に対して軸方向に変位可能であるスライドの形式で構成されている。しかしながら、当然ではあるが、必要に応じて軸方向に固定された作動部材７を備えることもまた可能である。再ロック位置への復帰は、例えば、図５を参照するように、ロック解除位置の外部に面した係合フィンガ１２の自由端部分に作用する結合部材３の内部の第２の作動つまみ５４によって実行されることができる。この実施形態においても、全体的にスリーブ状の構成であり且つ結合部材３内に位置する結合挿入体５は、結合部材３に対する軸方向変位のために取り付けられてもよい。
【００４８】
結合挿入体５がまた有利に結合部材３内に位置している全体的にスリーブ状の構成である他の好ましい実施形態が図７において示されている。結合挿入体５が位置する結合部材３の挿入体取付け部１６、及び／又は、歯ブラシハンドピース４のための結合挿入体５の取付け部１３は、有利には上述した様態で円錐状に形成されてもよい。
【００４９】
図７において図示された実施形態において、半径方向内側に突出している戻り止めフック１１を有する係合フィンガ１２は、有利にピボットアーム２４を介して結合挿入体５の本体に接合されており、揺れ戻り中に係合フィンガ１２が動作ヘッド２から半径方向外側に離れて移動され、逆に、揺れ中に半径方向内側に動作ヘッド２の方に移動される。係合フィンガ１２は、有利には結合挿入体５の本体における縦溝内で続く。図７が示しているように、係合フィンガ１２は、動作ヘッド２の近くのその端部に、付属ブラシ３３がハンドピース４上に差し込まれた場合に歯ブラシハンドピース４の連結部材３４の前端部と協働する従動要素５５を有する。上記連結部材３４が結合挿入体５の取付け部１３内に挿入された場合には、従動要素５５は、係合フィンガ１２を強制的に連結部材３４に追従させ、動作ヘッド２の方に結合部材３の凹部内に軸方向に係合フィンガ１２を移動する。これにより、係合フィンガ１２を、実線によって図７において図示されたそのロック位置に押し出す。戻り止めフック１１は、歯ブラシハンドピース４上の対応する戻り止め切り込み４１に嵌め込み係合される。
【００５０】
付属ブラシ３３をロック解除するために、ユーザは、単に、歯ブラシハンドピース４から付属品の縦方向３８に付属ブラシ３３を引き離すだけでよい。これは、作動部材７の傾斜面１０を係合フィンガ１２の傾斜面９に沿って滑り落ちさせ、この結果、係合フィンガ１２が半径方向外側に追いやられて戻り止めフック１１がロック解除され、係合フィンガ１２が最終的に、歯ブラシハンドピース４から引き離されることができる。図７が示しているように、係合フィンガ１２は、歯ブラシハンドピース上の戻り止め切り込みから離脱するために十分な距離だけ係合フィンガ１２が半径方向外側に進むのを可能とするように結合挿入体５と結合部材３との間におけるポケット５６内に受けられる。
【００５１】
本発明の他の実施形態が図８及び図９において示されている。この実施形態において、歯ブラシハンドピース４の連結部材３４が止まり嵌めによって内部に挿入可能である取付け部１３を、２つの略半シェル状のシェル片２６、２７がそれらの内壁によって画成するように、結合挿入体５は、溝付きスリーブの形式を有する。図９は、２つのシェル片２６、２７の分割を示している。２つのシェル片２６、２７は、それらの内側及び外側の双方上の円錐状の構成である。したがって、取付け部１３は、円錐状であり、円錐状の連結部材３４に同様に一致するように成形されており、同様に、付属ブラシ３３の結合部材３の挿入体取付け部１６は、円錐状である。
【００５２】
それらの内周面において、シェル片２６、２７は、積極的な係合関係においてハンドピース４上の戻り止め切り込み４１と嵌め込み係合するそれぞれのフック１１を含む。
【００５３】
ロック及びロック解除を可能とするために、結合挿入体５は、結合部材３内に軸方向変位のために取り付けられる。図８が示しているように、これは、２つの軸方向に離隔された切り込み位置間において前後に移動可能である留め金機構５７を介して図示された実施形式において実行される。勿論、当然のことながら、例えば、バネやスティックスリップ台座等を使用した他の取付け選択肢が可能である。示された実施形態において、２つのシェル片２６、２７は、結合部材３上の戻り止め切り込み５９における周上に保持された戻り止めリングの形式で戻り止め要素５８に固定されている。この結果から、以下の操作モードが生じる。
【００５４】
すなわち、付属ブラシ３３が図８において示される歯ブラシハンドピース４におけるロック位置からロック解除されることになっている場合に、その後、付属ブラシ３３は、単に、ハンドピース４から付属品の縦方向３８に引き離されなければならない。戻り止めフック１１が係合され続けることから、結合挿入体５は、最初に、歯ブラシハンドピース４に軸方向に締め付け固定されたままであり、この結果、結合挿入体５と結合部材３との間において軸方向の相対運動が起こる。これが起こるとき、戻り止め要素５８は、動作ヘッド２からの距離よりも大きい戻り止め切り込み５９内に移動される。この軸方向の相対運動のおかげで、結合挿入体５は、挿入体取付け部１６のテーパーのために、同時により多くの半径方向間隔を得るので、シェル片２６、２７は付属品の縦方向３８を横断する方向で離れて移動することが可能となる。この遠ざかる移動を保証するために、図示された実施形態において、それらの拡張位置にシェル片２６、２７を付勢するバネ装置２８が備えられる。図示された実施形態において、バネ装置２８は、シェル片２６、２７の内周上に配置され且つ歯ブラシハンドピース４上に支持を必要とするバネ要素を備える。
【００５５】
付属ブラシ３３が再度差し込まれた場合には、歯ブラシハンドピース４の連結部材３４は、シェル片２６、２７上の従動要素５５が連結部材３４と係合するまで取付け部１３に螺入し、その結果、歯ブラシハンドピース４の更なる挿入中に結合挿入体５がより深く結合部材３内に押し込まれる。その過程において、戻り止め要素５８は、結合部材３に近い戻り止め切り込み内に再度移動される。同時に、シェル片２６、２７は、フック１１が戻り止め切り込み４１内に再度係合するように１つにまとめられる。
【００５６】
図１０は、本発明の他の有利な実施形態を示している。ここでもまた、結合挿入体５は、全体的にスリーブ状の円錐状の本体を備え、その本外は、その内側によって歯ブラシハンドピース４の連結部材３４のための円錐状の取付け部１３を形成し且つ結合部材３において同様に円錐状の挿入体取付け部１６におけるその外側に位置している。他の実施形態において、本体、取付け部、及び、挿入体取付け部は、円錐状の構成よりはむしろ円筒状の構成でもよい。更にまた、結合挿入体５は、一方では半径方向に拡大及び縮小することができ且つ結合挿入体５のスリーブ状の本体の内側外形に対して突出することができる戻り止めリング２５を含む。他方では、戻り止めリング２５は、結合部材３に対して軸方向に移動可能でもよい。それは、更に、適所に軸方向に締め付け固定された管状の結合部材３の前端部においてリングの形式で順番に位置している作動部材７上の対応する傾斜面１０と協働する傾斜面９を含む。作動部材７にわたる戻り止めリング２５の軸方向の乗り越えを介して、戻り止めリング２５は、一対の傾斜面９、１０を介して半径方向に拡張され、結果としてロックが外されることができる。この結果から、以下の操作モードが生じる。すなわち、付属ブラシ３３がハンドピース４からロック解除されることになっている場合には、ユーザは、歯ブラシハンドピース４から付属品の縦方向３８において付属ブラシ３３を引き離すことのみを必要とし、これにより、戻り止めリング２５が戻り止め切り込み４１と係合している限り、最初は、戻り止めリング２５は、ハンドピース４に軸方向に締め付け固定されたままである。しかしながら、上記リングは、一対の傾斜面９、１０を介して拡張され、結合部材３が戻り止め切り込み４１からついに離脱されて歯ブラシハンドピース４から結合部材３とともに引き離されることができるまで、結合部材３は、更に軸方向に引き離される。有利には、戻り止めリング２５は、それ自身でロック位置に戻るように、例えば保持リングの様態でその縮小したロック位置に弾性的に付勢される。付属ブラシ３３が再度差し込まれた場合には、弾性的に拡張する戻り止めリング２５は、その戻り止め切り込み４１に嵌め込まれることができるまで、歯ブラシハンドピース４の連結部材３４にわたって摺動する。
【００５７】
図１１〜図１４は、図１〜図３の実施形態と一般的に同様である本発明の有利な実施形態を示している。しかしながら、この実施形態において、結合挿入体５は、対応する歯ブラシハンドピース４の円筒状の連結部材３４上にと同様に、より明確なテーパーを有する歯ブラシハンドピース４上に差し込まれることができるように構成される。この目的のために、結合挿入体５の係合フィンガ１２は、それらが結合挿入体の残りの本体に対して突出する位置に、すなわち、所定の破断点又は所定の破断片２３によってそれらの初期状態において固定される。図１３が示しているように、係合フィンガ１２の周囲にＵ字状のスリットを橋架している材料ランド（lands）６０が、スリーブ状の本体と係合フィンガ１２との間に取り残されている。それらが歯ブラシハンドピース４の連結部材３４の円筒状の周囲面上に止まり嵌めによって押し込まれることができるクランプ締め面をそれらの内周面によって形成するように、係合フィンガ１２上に戻り止めフック１１が形成されて配置されている。有利には、図１１を参照するように、前端において備えられる歯ブラシハンドピース４の連結部材３４の周囲面部分がまた適所に堅固にクランプ締めされることができるように、戻り止めフック１１から始まって、係合フィンガ１２の内周外形は、僅かに円錐状の構成になっている。
【００５８】
図１３及び図１４が示しているように、有利には、係合フィンガ１２に関してそれぞれ９０°だけオフセットされ且つ結合挿入体５のスリーブ状の本体におけるＵ字状のスリットによって同様に上記結合挿入体から分離されている他の２つの係合フィンガ１１２が結合挿入体５に備えられている。所定の破断片２３はまた、取り残されて、且つ係合フィンガ１１２を、同様に内側に突出している位置に追い出す、図１３において示された材料ランド６０の形式で備えられている。対応する様態において、これらの追加の係合フィンガ１１２は、止まり嵌めによって、特には摩擦的な更に／或いはクランプ締め係合によって歯ブラシハンドピース４の連結部材３４の円筒状の外面上に押し込まれることができる接合面を、それらの内周面によって画成している。
【００５９】
この実施形態はまた、結合挿入体５が円筒状の連結部材１４上に止まり嵌めによって固定されるのを可能とする。これに対して、図１及び図２において示されたように、結合挿入体５が対応する歯ブラシハンドピース４の円錐状の連結部材３４上に押し込まれることになっている場合には、所定の破断片２３は、破断して開放し、これにより、係合フィンガ１２、１１２が外側に跳ねるのを可能とし、その結果、結合挿入体５のスリーブ状の本体の全体の内周面が、歯ブラシハンドピース４の円錐状の連結部材が止まり嵌めによって内部に挿入されることができる取付け部１３として作用することができる。そして、係合フィンガ１２は、図１〜図３に関連して説明されたように、留め金機構を備えている。
【符号の説明】
【００６０】
１…歯ブラシ、２…動作ヘッド、３…結合部材、４…ハンドピース、５…結合挿入体、６…係合部分、７…作動部材、８…ロック解除部分、９、１０…傾斜面、１１…戻り止めフック、１２…係合フィンガ、１３…取付け部、１５…傾斜角、１６…挿入体取付け部、１７…バネ、１８、１９…バネ部分、２０…保持リング、２１…作動フィンガ、２３…破断片、２４…ピボットアーム、２５…戻り止めリング、２６、２７…シェル片、２８…バネ装置、２９…差し込みシャフト、３０…結合外形、３１…駆動シャフト、３２…接合面、３３…付属ブラシ、３４…連結部材、３５…傾斜角、３８…付属品の縦方向、４０…領域、４１…戻り止め切り込み、４２…留め金機構、４３…取付け部、４４…揺れ材、４５…継ぎ手、４６…戻り止め手段、４７…リング、４８、４９…部分、５０…引っ張りロッド、５１、５２…引っ張りストリップ、５３…突出作動つまみ、５４…第２の作動つまみ、５５…従動要素、５６…ポケット、５７…留め金機構、５８…戻り止め要素、５９…戻り止め切り込み、６０…材料ランド、１１２…係合フィンガ
【図１】
2010512810.tif 000003
【図２】
2010512810.tif 000004
【図３】
2010512810.tif 000005
【図４】
2010512810.tif 000006
【図５】
2010512810.tif 000007
【図６】
2010512810.tif 000008
【図７】
2010512810.tif 000009
【図８】
2010512810.tif 000010
【図９】
2010512810.tif 000011
【図１０】
2010512810.tif 000012
【図１１】
2010512810.tif 000013
【図１２】
2010512810.tif 000014
【図１３】
2010512810.tif 000015
【図１４】
2010512810.tif 000016
【国際調査報告】
2010512810.tif 000017
2010512810.tif 000018
2010512810.tif 000019
2010512810.tif 000020
2010512810.tif 000021
2010512810.tif 000022
2010512810.tif 000023
2010512810.tif 000024
2010512810.tif 000025
2010512810.tif 000026
2010512810.tif 000027
2010512810.tif 000028